(57)【要約】  本発明によるプラガブル光モジュール（１００）は、光伝送装置に対して挿抜可能に構成され、前記光伝送装置とデータ信号を通信可能であるプラガブル電気コネクタ（１１）と、前記データ信号を増幅して第１及び第２の駆動信号を出力する駆動部（１３）と、前記第１の駆動信号に応じて変調された第１の光信号と、前記第２の駆動信号に応じて変調された第２の光信号とを出力する光信号出力部（１４）と前記第１及び第２の光信号の強度をモニタする光強度モニタ部（１５）と前記光強度モニタ部（１５）のモニタ結果に基づき、前記第１及び第２の光信号の強度差を調整するよう前記駆動部（１３）の利得を制御する制御部（１６）と光ファイバが挿抜可能に構成され、前記第１及び第２の光信号を出力するプラガブル光レセプタ（１２）と、を備えることを特徴とする。これにより、信号品質を維持するために各光信号間の光強度差を調整する。
2019187759.tif 000002
【特許請求の範囲】
【請求項１】
光伝送装置に対して挿抜可能に構成され、前記光伝送装置とデータ信号を通信可能であるプラガブル電気コネクタと、
前記データ信号を増幅して第１及び第２の駆動信号を出力する駆動手段と、
前記第１の駆動信号に応じて変調された第１の光信号と、前記第２の駆動信号に応じて変調された第２の光信号とを出力する光信号出力手段と
前記第１及び第２の光信号の強度をモニタする光強度モニタ手段と
前記光強度モニタ手段のモニタ結果に基づき、前記第１及び第２の光信号の強度差を調整するよう前記駆動手段の利得を制御する制御手段と
光ファイバが挿抜可能に構成され、前記第１及び第２の光信号を出力するプラガブル光レセプタと、
を備えることを特徴とするプラガブル光モジュール。
【請求項２】
さらに前記第１の駆動信号の振幅及び前記第２の駆動信号の振幅をモニタする駆動信号モニタ手段を備え、
前記制御手段は、前記駆動信号モニタ手段のモニタ結果に基づき前記駆動手段の利得を制御することを特徴とする請求項１に記載のプラガブル光モジュール。
【請求項３】
前記制御手段は第１及び第２の目標値を設定し、前記第１の駆動信号の振幅が前記第１の目標値となり、前記第２の駆動信号の振幅が前記第２の目標値となるよう前記駆動手段の利得を制御することを特徴とする請求項２に記載のプラガブル光モジュール。
【請求項４】
さらに前記光強度モニタ手段と前記駆動信号モニタ手段のモニタ結果を記憶する記憶手段を備え、
前記制御手段は前記記憶手段と前記光伝送装置より入力する制御信号を参照して、前記第１及び第２の目標値を設定することを特徴とする請求項３に記載のプラガブル光モジュール。
【請求項５】
前記制御信号は、駆動信号の振幅を指定する振幅情報を含み、
前記制御手段は前記振幅情報に基づき、前記第１及び第２の目標値を設定することを特徴とする請求項４に記載のプラガブル光モジュール。
【請求項６】
さらに前記光信号出力手段が出力する前記第１及び第２の光信号の光強度を調整可能である光強度調整手段を備え、
前記光強度調整手段は、前記制御手段に前記光伝送装置から波長切替指示が入力したことに応じて前記第１及び第２の光信号の出力を遮断し、
前記光信号出力手段は、前記出力の遮断後に前記第１及び第２の光信号の波長の切り替えを行い、
前記制御手段は、前記波長の切り替え後に、前記第１及び第２の光信号の強度差を調整するよう前記駆動手段の利得を制御することを特徴とする請求項１から５のいずれかに記載のプラガブル光モジュール。
【請求項７】
前記駆動手段は前記データ信号を増幅して第３及び第４の駆動信号を出力し、
前記光信号出力手段は前記第３の駆動信号に応じて変調された第３の光信号と、前記第４の駆動信号に応じて変調された第４の光信号とを出力し、
前記光強度モニタ手段は第３及び第４の光信号の強度をモニタし、
前記制御手段は、前記光強度モニタ手段のモニタ結果に基づき、前記第１、第２、第３及び第４の光信号の強度差を調整するよう前記駆動手段の利得を制御することを特徴とする請求項１から５のいずれかに記載のプラガブル光モジュール。
【請求項８】
前記光信号出力手段は直交位相変調信号を出力し、前記第１の光信号はＩ信号であり、前記第２の光信号はＱ信号であることを特徴とする請求項１から６のいずれかに記載のプラガブル光モジュール。
【請求項９】
前記光信号出力手段は偏波多重信号を出力し、前記第１及び第２の光信号はＸ偏波信号であり、前記第３及び第４の光信号はＹ偏波信号であることを特徴とする請求項７に記載のプラガブル光モジュール。
【請求項１０】
光信号を伝送する光ファイバと、
前記光ファイバが挿抜可能に構成され、前記光ファイバに前記光信号を出力するプラガブル光モジュールと、
前記プラガブル光モジュールが挿抜可能に構成され、前記プラガブル光モジュールを制御する光伝送装置と、を備え、
前記プラガブル光モジュールは、
前記光伝送装置に対して挿抜可能に構成され、前記光伝送装置とデータ信号を通信可能であるプラガブル電気コネクタと、
前記データ信号を増幅して第１及び第２の駆動信号を出力する駆動手段と、
前記第１の駆動信号に応じて変調された第１の光信号と、前記第２の駆動信号に応じて変調された第２の光信号とを出力する光信号出力手段と
前記第１及び第２の光信号の強度をモニタする光強度モニタ手段と
前記光強度モニタ手段のモニタ結果に基づき、前記第１及び第２の光信号の強度差を調整するよう前記駆動手段の利得を制御する制御手段と
前記光ファイバが挿抜可能に構成され、前記第１及び第２の光信号を出力するプラガブル光レセプタと、
を備えることを特徴とする光通信システム。
【請求項１１】
光伝送装置に対して挿抜可能に構成されたプラガブル電気コネクタを介して、前記光伝送装置とデータ信号を受信し、
前記受信したデータ信号を増幅して第１及び第２の駆動信号を出力し、
前記第１の駆動信号に応じて変調された第１の光信号と、前記第２の駆動信号に応じて変調された第２の光信号とを出力し、
前記第１及び第２の光信号の強度のモニタ結果を出力し、
前記モニタ結果に基づき、前記第１及び第２の光信号の強度差を調整するよう前記データ信号の増幅利得を制御し、
光ファイバが挿抜可能に構成されたプラガブル光レセプタを介して、前記第１及び第２の光信号を出力する、
ことを特徴とするプラガブル光モジュールの制御方法。
【発明の詳細な説明】
【技術分野】
【０００１】
本発明は、プラガブル光モジュール、光通信システム及び光通信方法に関する。
【背景技術】
【０００２】
光通信システムにおいては、光信号の送受信を行う光モジュールが用いられる。光モジュールは光変調器を備え、変調方式に応じた駆動信号を印加することで光変調器を駆動し、変調した光信号を出力する。【０００３】
光モジュールとして、ＳＦＰ（Ｓｍａｌｌ  Ｆｏｒｍ  Ｆａｃｔｏｒ  Ｐｌｕｇｇａｂｌｅ）やＸＦＰ（１０−Ｇｉｇａｂｉｔ  Ｓｍａｌｌ  Ｆｏｒｍ  Ｆａｃｔｏｒ  Ｐｌｕｇｇａｂｌｅ）、ＣＦＰ（１００Ｇ  Ｆｏｒｍ−ｆａｃｔｏｒ  Ｐｌｕｇｇａｂｌｅ）などの規格の光通信システムにおいて用いられるプラガブル光モジュールが知られる。プラガブル光モジュールは、ホストとなる外部の光伝送装置に挿抜可能に構成される。またプラガブル光モジュールは光伝送装置から受信するデータ信号及び制御信号に応じて光変調器を駆動することで、変調した光信号を出力する。【０００４】
プラガブル光モジュールは光伝送装置の通信仕様に応じて、様々な変調方式で光信号を変調する機能が求められる。したがって、光伝送装置から受信するデータ信号に応じて駆動信号の振幅を適切に制御することが通信品質の向上のために重要である。駆動信号の振幅を制御する技術として、たとえば特許文献１には光変調器からの光出力が最大になるよう駆動信号の振幅を制御する構成が記載されている。また特許文献２にはデータ信号に正確に対応した光信号を出力するために駆動信号の振幅を制御する構成が記載されている。
【先行技術文献】
【特許文献】
【０００５】
【特許文献１】特開２００８−０９２１７２号公報
【特許文献２】ＷＯ２０１７／０５６３５０号公報
【発明の概要】
【発明が解決しようとする課題】
【０００６】
光通信システムではデータトラフィック需要拡大に対応するべく、高速伝送を可能とする光変調方式が用いられている。そのような光変調方式としては、たとえばＱＰＳＫ（Ｑｕａｄｒａｔｕｒｅ  Ｐｈａｓｅ  Ｓｈｉｆｔ  Ｋｅｙｉｎｇ）や１６ＱＡＭ（Ｑｕａｄｒａｔｕｒｅ  Ａｍｐｌｉｔｕｄｅ  Ｍｏｄｕｌａｔｉｏｎ）が知られている。【０００７】
上述した光変調方式を採用する光モジュールは、光伝送装置より入力するデータ信号に応じて変調した複数の光信号を出力する。たとえばＱＰＳＫ方式においては、同相（Ｉｎ−ｐｈａｓｅ）成分を有する光信号と、直交位相（Ｑｕａｄｒａｔｕｒｅ）成分を有する光信号が合波された光信号を出力する。光モジュールは、各光信号に対応する複数の光変調器を有し、各光変調器にデータ信号を増幅した駆動信号を印加することで、複数の光信号を出力する。【０００８】
ここで、変調方式の多値化を実現するためには、駆動信号の高周波特性を補償するための波形処理を、各光変調器に印加する駆動信号ごとに精密に行う必要がある。この場合、各光変調器に印加される駆動信号の振幅が互いに異なるものとなるため、各光変調器が出力する光信号間に生じる光強度差が大きくなる。また近年、光モジュールの小型化を実現するために用いられる半導体変調器は、変調曲線（トランスファーカーブ）の個体差が大きい。変調曲線の線形性は光変調器が出力する光信号の強度に影響を与えるため、半導体変調器を用いた光モジュールにおいては各光信号間の光強度差が大きくなる。【０００９】
上述の理由によって各光信号間の光強度差が大きくなると、信号品質の劣化が生じる。したがって、信号品質を維持するために各光信号間の光強度差を調整する必要があるが、特許文献１又は２に記載の技術ではこの問題を解決することが出来ない。【００１０】
本発明は、上記の事情に鑑みてなされたものであり、複数の光変調器のそれぞれが出力する光信号の強度差を解消可能なプラガブル光モジュール、光通信システム及び光通信方法を提供する。
【課題を解決するための手段】
【００１１】
本発明によるプラガブル光モジュールは、光伝送装置に対して挿抜可能に構成され、前記光伝送装置とデータ信号を通信可能であるプラガブル電気コネクタと、前記データ信号を増幅して第１及び第２の駆動信号を出力する駆動部と、前記第１の駆動信号に応じて変調された第１の光信号と、前記第２の駆動信号に応じて変調された第２の光信号とを出力する光信号出力部と前記第１及び第２の光信号の強度をモニタする光強度モニタ部と前記光強度モニタ部のモニタ結果に基づき、前記第１及び第２の光信号の強度差を調整するよう前記駆動部の利得を制御する制御部と光ファイバが挿抜可能に構成され、前記第１及び第２の光信号を出力するプラガブル光レセプタと、を備えることを特徴とする。【００１２】
本発明による光通信システムは、光信号を伝送する光ファイバと、前記光ファイバが挿抜可能に構成され、前記光ファイバに前記光信号を出力するプラガブル光モジュールと、前記プラガブル光モジュールが挿抜可能に構成され、前記プラガブル光モジュールを制御する光伝送装置と、を備え、前記プラガブル光モジュールは、前記光伝送装置に対して挿抜可能に構成され、前記光伝送装置とデータ信号を通信可能であるプラガブル電気コネクタと、前記データ信号を増幅して第１及び第２の駆動信号を出力する駆動部と、前記第１の駆動信号に応じて変調された第１の光信号と、前記第２の駆動信号に応じて変調された第２の光信号とを出力する光信号出力部と、前記第１及び第２の光信号の強度をモニタする光強度モニタ部と、前記光強度モニタ部のモニタ結果に基づき、前記第１及び第２の光信号の強度差を調整するよう前記駆動部の利得を制御する制御部と、前記光ファイバが挿抜可能に構成され、前記第１及び第２の光信号を出力するプラガブル光レセプタと、を備えることを特徴とする。【００１３】
本発明による光通信方法は、伝送装置に対して挿抜可能に構成されたプラガブル電気コネクタを介して、前記光伝送装置とデータ信号を受信し、前記受信したデータ信号を増幅して第１及び第２の駆動信号を出力し、前記第１の駆動信号に応じて変調された第１の光信号と、前記第２の駆動信号に応じて変調された第２の光信号とを出力し、前記第１及び第２の光信号の強度のモニタ結果を出力し、前記モニタ結果に基づき、前記第１及び第２の光信号の強度差を調整するよう前記データ信号の増幅利得を制御し、光ファイバが挿抜可能に構成されたプラガブル光レセプタを介して、前記第１及び第２の光信号を出力する、ことを特徴とする。
【発明の効果】
【００１４】
本発明によれば、出力する複数の光信号間の強度差を調整可能なプラガブル光モジュール、光通信システム、光通信方法を提供することが可能となる。
【図面の簡単な説明】
【００１５】
【図１】第1の実施形態に係るプラガブル光モジュールの構成例を示す図である。
【図２】第1の実施形態に係る光通信システムの構成例を示す図である。
【図３】第１の実施形態に係る駆動部の構成例を示すシーケンス図である。
【図４】第１の実施形態に係る光信号出力部の構成例を示す図である。
【図５】第１の実施形態に係る光強度モニタの構成例を示す図である。
【図６】第１の実施形態に係る第１の光強度モニタ及び第２の光強度モニタの構成例を示す図である。
【図７】第１の実施形態に係るプラガブル光モジュールの各構成の動作例を示すシーケンス図である。
【図８】第２の実施形態に係るプラガブル光モジュールの構成例を示す図である。
【図９】第２の実施形態に係るプラガブル光モジュールの各構成の動作例を示すシーケンス図である。
【図１０】第３の実施形態に係るプラガブル光モジュールの構成例を示す図である。
【図１１】第３の実施形態に係る記憶部の記憶情報の構成例を示す図である。
【図１２】第３の実施形態に係る制御部の動作例を示すフローチャートである。
【図１３】第４の実施形態に係るプラガブル光モジュールの構成例を示す図である。
【図１４】第４の実施形態に係る光信号出力部の構成例を示す図である。
【図１５】第４の実施形態に係るプラガブル光モジュールが有する各構成の動作例を示すシーケンス図である。
【図１６】第５の実施形態におけるプラガブル光モジュールの構成例を示す図である。
【図１７】第５の実施形態に係る駆動部の構成例を示す図である。
【図１８】第５の実施形態に係る光信号出力部の構成例を示す図である。
【図１９】第５の実施形態に係る光強度モニタの構成例を示す図である。
【発明を実施するための形態】
【００１６】
次に、本発明の実施形態について図面を参照して詳細に説明する。
【００１７】
［第１の実施形態］
図1は、本発明の第1の実施形態に係るプラガブル光モジュール１００の構成例を示す。図１のプラガブル光モジュール１００は、プラガブル電気コネクタ１１、プラガブル光レセプタ１２、駆動部１３、光信号出力部１４、光強度モニタ１５、制御部１６を備える。また、図２は本発明の第1の実施形態に係る光通信システム１０００の構成例を示す。図２の光通信システム１０００は、プラガブル光モジュール１００、光ファイバ９１、光伝送装置９２から構成される。また図２に示すように、プラガブル光モジュール１００は、光ファイバ９１及び光伝送装置９２に対して挿抜可能であるように構成される。
【００１８】
プラガブル電気コネクタ１１は、光伝送装置９２に対して挿抜可能に構成される。プラガブル電気コネクタ１１は、光伝送装置９２より入力する電気信号である制御信号ＣＯＮ１を制御部１６に出力する。またプラガブル電気コネクタ１１は、光伝送装置９２より入力する電気信号である変調信号ＭＯＤを駆動部１３に出力する。また図示しないが、プラガブル電気コネクタ１１は、制御部１６が出力する電気信号を光伝送装置９２に出力可能であってもよい。
【００１９】
プラガブル光レセプタ１２は、光ファイバ９１に対して挿抜可能に構成される。光ファイバ９１はコネクタ付きであってもよい。この場合、プラガブル光レセプタ１２は、ＬＣ型コネクタやＭＵ型コネクタといった光ファイバコネクタの形状に対応するよう形成される。またプラガブル光レセプタ１２は、光信号出力部１４が出力する光信号ＬＳを光ファイバ９１に出力する。
【００２０】
駆動部１３はプラガブル電気コネクタ１１を介して光伝送装置９２より入力する変調信号ＭＯＤを増幅した駆動信号ＳＩＧ１及びＳＩＧ２を光信号出力部１４に出力する機能を有する。図３は駆動部１３の構成例を示す図である。駆動部１３は、第１の駆動回路１３１Ａ及び第２の駆動回路１３１Ｂを備える。第１の駆動回路１３１Ａは変調信号ＭＯＤを増幅して駆動信号ＳＩＧ１を出力する。また第２の駆動回路１３１Ｂは変調信号ＭＯＤを増幅して駆動信号ＳＩＧ２を出力する。ここで駆動信号ＳＩＧ１及びＳＩＧ２は、光変調方式に応じた各信号成分を有する信号であってもよい。
【００２１】
駆動部１３はさらに変調信号ＭＯＤを増幅する利得を調整可能に構成される。具体的には、駆動部１３は変調信号ＭＯＤを増幅して駆動信号ＳＩＧ１を出力する利得及び変調信号ＭＯＤを増幅して駆動信号ＳＩＧ２を出力する利得を調整可能である。また各利得を調整することで、駆動信号ＳＩＧ１及びＳＩＧ２の振幅を調整する。この利得の調整は、第１の駆動回路１３１Ａ及び第２の駆動回路１３１Ｂに対する制御により実現される。駆動部１３は利得を調整することにより駆動信号ＳＩＧ１及びＳＩＧ２の振幅をそれぞれ調整することが可能である。また駆動部１３は制御部１６より入力する制御信号ＣＯＮ２に基づいて利得の調整を行うが、制御部１６による制御については後述する。
【００２２】
光信号出力部１４は光信号ＬＳ１及びＬＳ２を合波光ＬＳとしてプラガブル光レセプタ１２に出力する。ここで、光信号ＬＳ１は駆動部１３より入力する駆動信号ＳＩＧ１に応じて変調した光信号であり、光信号ＬＳ２は駆動部１３より入力する駆動信号ＳＩＧ２に応じて変調された光信号である。光信号ＬＳ１及びＬＳ２の変調方式は、位相変調、振幅変調、偏波変調などの各種の変調方式、または、各種の変調方式を組み合わせた変調方式であってもよい。
【００２３】
図４は光信号出力部１４の構成例を示す。図４の光信号出力部１４は、光源１４１、第１の光変調部１４２Ａ、第２の光変調部１４２Ｂを備える。以降、第１の光変調部１４２Ａ及び第２の光変調部１４２Ｂを区別しないときは、光変調部１４２と称する。
【００２４】
光源１４１は、出力光Ｌｏｒｄｉｎｇを出力する。なお光源１４１は、たとえば、半導体素子とリング共振器とで構成される波長可変光モジュールであってもよい。この場合、光源１４１は制御部１６からの制御により、出力光Ｌｏｒｄｉｎｇの波長を変更可能であってもよい。
【００２５】
光変調部１４２は、少なくともひとつのマッハツェンダ型光変調器により構成され、所定の変調方式で変調された光信号を出力する。なおマッハツェンダ型の光変調器としては、半導体光変調器であってもよい。また、第１の光変調部１４２Ａ及び第２の光変調部１４２Ｂをインナー（Ｉｎｎｅｒ）マッハツェンダ型光変調器として設け、第１の光変調部１４２Ａ及び第２の光変調部１４２Ｂをアームに持つマッハツェンダ型光変調器をアウター（Ｏｕｔｅｒ）マッハツェンダ型光変調器として設けてもよい。
【００２６】
光変調部１４２は、マッハツェンダ型光変調器の光導波路に設けられた位相変調領域を有し、駆動部１３より位相変調領域に印加される駆動信号に応じて、光変調信号を出力可能である。第１の光変調部１４２Ａは駆動信号ＳＩＧ１に応じて変調した光信号ＬＳ１を出力する。また第２の光変調部１４２Ｂは駆動信号ＳＩＧ２に応じて変調した光信号ＬＳ２を出力する。
【００２７】
ここで位相変調領域とは、光導波路上に形成された電極を有する領域である。電極に駆動信号が印加されることにより、電極の下の光導波路の実効屈折率が変化する。その結果、位相変調領域の光導波路の実質的な光路長を変化させることが出来る。これにより、位相変調領域は、光導波路を伝搬する光信号の位相を変化させることが出来る。そして、２本の光導波路の間を伝搬する光信号間に位相差を与えることで、光信号を変調することが出来る。また位相変調領域に印加される駆動信号の振幅に応じて、出力する光信号の強度は変動する。
【００２８】
なお光信号出力部１４がＱＰＳＫ方式や１６ＱＡＭ方式といった光変調方式にて変調した光信号を出力可能に構成されるとき、光信号ＬＳ１はコンスタレーションのＩ軸成分に対応する信号であり、光信号ＬＳ２はコンスタレーションのＱ軸成分に対応する信号であってもよい。
【００２９】
また図示しないが、光変調部１４２の位相変調領域には、バイアス電圧が印加される。バイアス電圧は変調方式に応じて最適値となるように設定される。たとえば第１の光変調部１４２Ａ及び第２の光変調部１４２Ｂをインナーマッハツェンダ変調器として設け、第１の光変調部１４２Ａ及び第２の光変調部１４２Ｂをアームに持つマッハツェンダ型光変調器をアウターマッハツェンダ型光変調器として設ける場合を想定する。この時、インナーマッハツェンダ変調器である第１の光変調部１４２Ａ及び第２の光変調部１４２Ｂに対しては変調曲線における光出力が最小となるバイアス電圧（null）が印加される。またアウターマッハツェンダ変調器に対しては、第１の光変調部１４２Ａ及び第２の光変調部１４２Ｂに入力する光信号の位相が互いに直交するバイアス電圧（quad）が印加される。
【００３０】
光強度モニタ１５は、光信号出力部１４が出力する光変調信号ＬＳ１及びＬＳ２の光強度をモニタする。また光強度モニタ１５は、光変調信号ＬＳ１のモニタ結果ＯＰＴ１及び光変調信号ＬＳ２のモニタ結果ＯＰＴ２を制御部１６に出力する。なお光強度モニタ１５はＴＡＰフォトダイオードとして構成されてもよい。
【００３１】
光強度モニタ１５が設けられる位置は、光信号出力部１４から合波光が入力する位置に限られない。図５は光強度モニタ１５が光信号出力部１４の内部に含まれる構成例を示す図である。図５の光強度モニタ１５は、第１の光強度モニタ１５１Ａ及び第２の光強度モニタ１５１Ｂから構成される。第１の光強度モニタ１５１Ａは第１の光変調部１４２Ａから光信号ＬＳ１が入力する位置に設けられる。また第２の光強度モニタ１５１Ｂは第２の光変調部１４２Ｂから光信号ＬＳ２が入力する位置に設けられる。さらに第１の光強度モニタ１５１Ａはモニタ結果ＯＰＴ１を制御部１６に出力し、第２の光強度モニタ１５１Ｂはモニタ結果ＯＰＴ２を制御部１６に出力する。また図６は第１の光強度モニタ及び第２の光強度モニタの構成例を示す図である。図６に示すように、第１の光強度モニタ１５１Ａ及び第２の光強度モニタ１５１Ｂは、マッハツェンダ型光変調器の光導波路上にＴＡＰフォトダイオードとして設けられるようにしてもよい。
【００３２】
制御部１６は、光強度モニタ１５のモニタ結果ＯＰＴ１及びＯＰＴ２に基づいて、光信号ＬＳ１及びＬＳ２の強度差を調整するよう駆動部１３の利得を制御する。より詳細には、制御部１６は制御信号ＣＯＮ２により、駆動部１３が変調信号ＭＯＤを増幅して駆動信号ＳＩＧ１を出力する利得を調整することで駆動信号ＳＩＧ１の振幅を調整することが可能である。また制御部１６は制御信号ＣＯＮ２により、駆動部１３が変調信号ＭＯＤを増幅して駆動信号ＳＩＧ２を出力する利得を調整することで駆動信号ＳＩＧ２の振幅を調整することが可能である。駆動信号ＳＩＧ１及びＳＩＧ２の振幅に応じて光信号ＬＳ１及びＬＳ２の強度が変動するため、結果として制御部１６は駆動部１３の利得を制御することで光信号ＬＳ１及びＬＳ２の強度を調整することが可能である。
【００３３】
さらに制御部１６は光信号ＬＳ１及びＬＳ２の強度を、光信号ＬＳ１及びＬＳ２の強度差が小さくなるように調整する。これにより光信号ＬＳ１及びＬＳ２の強度のインバランスが解消され、信号品質を向上することが可能となる。
【００３４】
プラガブル光モジュール１００において、光信号ＬＳ１及びＬＳ２の強度差を調整するために駆動部１３の利得を制御する方法について説明する。図７はプラガブル光モジュール１００の各構成の動作例を示すシーケンス図である。
【００３５】
駆動部１３は光伝送装置９２より入力する変調信号ＭＯＤを増幅して駆動信号ＳＩＧ１及びＳＩＧ２を出力する（Ｓ１０１）。なお、このとき駆動部１３は所定の利得値により変調信号ＭＯＤを増幅する。また所定の利得値は制御部１６により事前に設定されるようにしてもよい。
【００３６】
光信号出力部１４は駆動信号ＳＩＧ１に応じて変調された光信号ＬＳ１と駆動信号ＳＩＧ２に応じて変調された光信号ＬＳ２を出力する（Ｓ１０２）。
【００３７】
光強度モニタ１５は光信号ＬＳ１及びＬＳ２の光強度をモニタする（Ｓ１０３）。また光強度モニタ１５はモニタ結果ＯＰＴ１及びＯＰＴ２を出力する。
【００３８】
制御部１６はモニタ結果ＯＰＴ１及びＯＰＴ２に基づき、駆動部１３に利得を制御する（Ｓ１０４）。より具体的には、制御部１６は光信号ＬＳ１及びＬＳ２の光強度差を調整するよう制御信号ＣＯＮ２により駆動部１３の利得を制御する。
【００３９】
制御部１６が光信号ＬＳ１及びＬＳ２の光強度差を調整する方法について説明する。制御部１６はモニタ結果ＯＰＴ１及びＯＰＴ２と等しくなるように駆動部１３の利得を制御するようにしてもよい。また別の方法として制御部１６は、光強度に所定の目標値ＯＰＴ＿ＴＧＴを設定し、ＯＰＴ＿ＴＧＴとＯＰＴ１及びＯＰＴ２が等しくなるように駆動部１３の利得を制御してもよい。このとき制御部１６は光伝送装置９２より入力する制御信号ＣＯＮ１に基づきＯＰＴ＿ＴＧＴを設定するようにしてもよい。
【００４０】
なお制御部１６による制御を受けた利得により駆動部１３が変調信号ＭＯＤを増幅することで、駆動振幅ＳＩＧ１及びＳＩＧ２の振幅が変動する。このとき光信号ＬＳ１及びＬＳ２の光強度も変動し、モニタ結果ＯＰＴ１及びＯＰＴ２も変動する。制御部１６は変動したモニタ結果ＯＰＴ１及びＯＰＴ２に基づき、さらに駆動部１３の利得を制御するようにしてもよい。
【００４１】
以上説明したように、本実施形態におけるプラガブル光モジュールは、光信号の強度をモニタし、そのモニタ結果に基づき駆動部の利得を制御することで光信号の強度差を調整する。利得の制御により光強度差が解消されることで、信号品質を向上することが可能となる。
【００４２】
なお制御部１６は光信号ＬＳ１の強度を調整した後に光信号ＬＳ２の強度を調整するようにしてもよい。この場合、たとえば制御部１６は駆動部１３に対して駆動信号ＳＩＧ２の出力を遮断し、駆動信号ＳＩＧ１を出力するよう制御する。光強度モニタ１５からは光信号ＬＳ１のモニタ結果ＯＰＴ１が出力され、制御部１６はモニタ結果ＯＰＴ１に基づき駆動部１３の利得を制御する。次に制御部１６は駆動信号ＳＩＧ１の出力を遮断し、駆動信号ＳＩＧ２を出力するように制御することで、モニタ結果ＯＰＴ２に基づき駆動部１３に利得を制御する。光信号ＬＳ１及びＬＳ２を別個に制御することにより、ノイズの影響が低減され正確なモニタ結果に基づく制御が可能になる。
【００４３】
［第２の実施形態］
本発明の第２の実施形態について説明する。第２の実施形態におけるプラガブル光モジュールは、駆動信号の振幅と光信号の強度を対応付けてモニタし、駆動信号の振幅の値に基づき駆動部の利得を制御することで、光信号の強度差を調整する。
【００４４】
図８は、本発明の第２の実施形態に係るプラガブル光モジュール２００の構成例を示す。なお本発明の第２の実施形態において、本発明の第１の実施形態と同様の構成については、説明を省略する。
【００４５】
駆動信号モニタ２７は、駆動信号の振幅をモニタする。駆動信号モニタ２７には、駆動部２３より駆動信号ＳＩＧ１及びＳＩＧ２が入力する。駆動信号モニタ２７は駆動信号ＳＩＧ１及びＳＩＧ２の振幅をモニタする。駆動信号モニタ２７は駆動信号ＳＩＧ１の振幅のモニタ結果ＰＥＡＫ１及び駆動信号ＳＩＧ２の振幅のモニタ結果ＰＥＡＫ２を制御部２６に出力する。
【００４６】
制御部２６は、駆動信号モニタ１７からのモニタ結果ＰＥＡＫ１及びＰＥＡＫ２に基づき、駆動部２３の利得を制御する。具体的には制御部２６は駆動信号ＳＩＧ１及びＳＩＧ２について振幅の目標値ＰＥＡＫ１＿ＴＧＴ及びＰＥＡＫ２＿ＴＧＴを設定し、ＰＥＡＫ１とＰＥＡＫ１＿ＴＧＴの比較及びＰＥＡＫ２とＰＥＡＫ２＿ＴＧＴの比較を行う。制御部２６は、モニタ結果ＰＥＡＫ１及びＰＥＡＫ２がそれぞれ目標値ＰＥＡＫ１＿ＯＰＴ及びＰＥＡＫ２＿ＯＰＴと等しくなるように駆動部２３の利得を制御する。
【００４７】
制御部２６は、光信号ＬＳ１及びＬＳ２の光強度が等しくなるときの駆動信号ＳＩＧ１及びＳＩＧ２の振幅の値として、駆動振幅の目標値ＰＥＡＫ１＿ＴＧＴ及びＰＥＡＫ２＿ＴＧＴを設定する。制御部２６は、光強度モニタ２５及び駆動信号モニタ２７よりモニタ結果を受け取るため、制御部２６はモニタ結果ＯＰＴ１、ＯＰＴ２とモニタ結果ＰＥＡＫ１、ＰＥＡＫ２を対応付けて参照可能である。したがって制御部２６はモニタ結果ＯＰＴ１及びＯＰＴ２が等しくなるときのＰＥＡＫ１及びＰＥＡＫ２を、それぞれＰＥＡＫ１＿ＴＧＴ及びＰＥＡＫ２＿ＴＧＴを設定することができる。また第１の実施形態で説明したように、光強度の目標値ＯＰＴ＿ＴＧＴを設定する場合は、ＯＰＴ１及びＯＰＴ２がＯＰＴ＿ＴＧＴを示すときのＰＥＡＫ１及びＰＥＡＫ２を、それぞれＰＥＡＫ１＿ＴＧＴ及びＰＥＡＫ２＿ＴＧＴを設定することができる。
【００４８】
続いて制御部２６が駆動部２３の利得を制御する手順について説明する。図９はプラガブル光モジュール２００の各構成の動作例を示すシーケンス図である。
【００４９】
駆動部２３は光伝送装置９２より入力する変調信号ＭＯＤを増幅して駆動信号ＳＩＧ１及びＳＩＧ２を出力する（Ｓ２０１）。
【００５０】
光信号出力部２４は駆動信号ＳＩＧ１に応じて変調された光信号ＬＳ１と駆動信号ＳＩＧ２に応じて変調された光信号ＬＳ２を出力する（Ｓ２０２）。
【００５１】
駆動信号モニタ２７は、駆動信号ＳＩＧ１及びＳＩＧ２の振幅のモニタ結果ＰＥＡＫ１及びＰＥＡＫ２を出力する（Ｓ２０３）。
【００５２】
光強度モニタ２５は光信号ＬＳ１及びＬＳ２の光強度のモニタ結果ＯＰＴ１及びＯＰＴ２を出力する（Ｓ２０４）。
【００５３】
制御部２６はＰＥＡＫ１＿ＴＧＴ及びＰＥＡＫ２＿ＴＧＴに基づき、駆動部２３の利得を制御する（Ｓ２０５）。具体的には、制御部２６は駆動部２３の利得を制御することにより駆動信号ＳＩＧ１の振幅を変動し、ＰＥＡＫ１の値がＰＥＡＫ１＿ＴＧＴとなるよう制御する。また制御部２６は駆動部２３の利得を制御することにより駆動信号ＳＩＧ２の振幅を変動し、ＰＥＡＫ２の値がＰＥＡＫ２＿ＴＧＴとなるよう制御する。また上述のようにＰＥＡＫ１＿ＴＧＴ及びＰＥＡＫ２＿ＴＧＴは、モニタ結果ＯＰＴ１、ＯＰＴ２、ＰＥＡＫ１、ＰＥＡＫ２に基づき設定される。
【００５４】
なお上述した制御部２６による駆動部２３の利得の制御はキャリブレーション時に限らず、プラガブル光モジュール２００が光通信を行っているときに実行してもよい。
【００５５】
本実施形態におけるプラガブル光モジュールは、光信号の強度と駆動信号の振幅を対応付けてモニタし、駆動信号の振幅の値に基づき駆動部の利得を制御することで光信号の強度差を調整する。光信号出力部が出力する光信号の強度差が解消されることで、信号品質を向上することが可能となる。
【００５６】
［第３の実施形態］
［構成］
本発明の第３の実施形態について説明する。第３の実施形態におけるプラガブル光モジュール３００は、光信号の強度と駆動信号の振幅のモニタ結果を対応付けた記憶情報を保持する構成を有する。またプラガブル光モジュール３００は光伝送装置から入力する制御信号と記憶情報とに基づいて、駆動部の利得を制御することを特徴とする。
【００５７】
本発明の第３の実施形態について説明する。図１０は、本発明の第３の実施形態に係るプラガブル光モジュール３００の構成例を示す。なお本発明の第３の実施形態において、本発明の他の実施形態と同様の構成については、説明を省略する。
【００５８】
制御部３６は光強度モニタ３５より入力するモニタ結果ＯＰＴ１、ＯＰＴ２及び駆動信号モニタ３７より入力するモニタ結果ＰＥＡＫ１、ＰＥＡＫ２を記憶部３８に格納する。また制御部３６は、光伝送装置９２より入力する制御信号ＣＯＮ１と記憶部３８の記憶情報を参照して、駆動部３３の利得を制御する。詳細については後述する。
【００５９】
記憶部３８は、制御部３６が格納するモニタ結果を記憶情報として保持する。記憶部３８はＰＥＡＫ１とＯＰＴ１を対応付けて記憶し、またＰＥＡＫ２とＯＰＴ２を対応付けて記憶する。図１１は記憶部３８の記憶情報の構成例を示す図である。記憶部３８はＰＥＡＫ１とＯＰＴ１とを対応付けたテーブル、及びＰＥＡＫ２とＯＰＴ２とを対応付けたテーブルを保持する。なお各テーブルの値はビット値として格納されてもよい。
【００６０】
制御部３６が記憶部３８へモニタ結果を書き込み、光伝送装置９２より入力する制御信号ＣＯＮ１と記憶部３８が保持する記憶情報とに基づいて駆動部の利得を制御する動作について説明する。図１２は制御部３６の動作例を示すフローチャートである。
【００６１】
制御部３６は、制御信号ＣＯＮ２により駆動部３３の利得を変動する（Ｓ３０１）。たとえば制御部３６は、駆動部３３の利得を所定の値だけ変動させるようにしてもよい。また制御部３６は、駆動部３３の利得を経時的に変動させるようにしてもよい。
【００６２】
制御部３６は、光強度モニタ３５より入力するモニタ結果ＯＰＴ１、ＯＰＴ２及び駆動信号モニタ３７より入力するモニタ結果ＰＥＡＫ１、ＰＥＡＫ２を記憶部３８に格納する（Ｓ３０２）。このとき駆動部３３の利得が変動するに伴って、駆動信号ＳＩＧ１及びＳＩＧ２の振幅は変動することとなる。したがって、変動する利得に応じたモニタ結果ＰＥＡＫ１及びＰＥＡＫ２が駆動信号モニタ３７より制御部３６に入力する。さらに駆動信号ＳＩＧ１及びＳＩＧ２の振幅が変動するに伴って、光信号ＬＳ１及びＬＳ２の光強度も変動することとなる。したがって、光強度モニタ３５より変動するゲインに応じたモニタ結果ＯＰＴ１及びＯＰＴ２が制御部３６に入力される。制御部３６がモニタ結果ＯＰＴ１とＰＥＡＫ１とを対応付け、またモニタ結果ＯＰＴ２とＰＥＡＫ２とを対応付けて格納することにより、記憶部３８は図１１に示すテーブルを記憶情報として保持することが可能となる。
【００６３】
制御部３６は記憶部３８へのモニタ結果の書き込みを終了するかを判定する（Ｓ３０３）。制御部３６によるモニタ結果の書き込みは、駆動部３３の利得の変動を所定の時間行うまで続けてもよいし、モニタ結果ＯＰＴ１及びＯＰＴ２が変動しなくなるまで行ってもよい。書き込みを終了しない場合（ＮＯ）、制御部３６は再びＳ３０１に戻り、駆動部３３の利得を制御する。
【００６４】
Ｓ３０３にて書き込みを終了する場合（ＹＥＳ）、制御部３６は記憶部３８の記憶情報と光伝送装置９２より入力する制御信号ＣＯＮ１に基づき、目標値ＰＥＡＫ１＿ＴＧＴ、ＰＥＡＫ２＿ＴＧＴを決定する（Ｓ３０４）。
【００６５】
制御部３６がＰＥＡＫ１＿ＴＧＴ、ＰＥＡＫ２＿ＴＧＴを決定する動作について説明する。制御部３６は、第２の実施形態で説明したように、制御信号ＣＯＮ１に基づきＯＰＴ＿ＴＧＴを決定し、ＯＰＴ＿ＴＧＴに対応するＰＥＡＫ１及びＰＥＡＫ２を目標値ＰＥＡＫ１＿ＴＧＴ、ＰＥＡＫ２＿ＴＧＴと設定することができる。ここで制御信号ＣＯＮ１は駆動振幅の値を指定する情報を含んでもよい。たとえば、変調曲線において光の位相を１８０°変化させる駆動信号を１００％としたときの割合により、駆動信号の振幅を指定する情報であってもよい。この場合、まず制御部３６は制御信号ＣＯＮ１が指定する駆動振幅の値に基づいて、ＯＰＴ＿ＴＧＴを決定する。この決定方法としては、記憶部３８が、制御信号ＣＯＮ１が指定する駆動振幅の値に対応する光強度を記憶情報として格納し、制御部３６がこれを参照することでＯＰＴ＿ＴＧＴを決定するようにしてもよい。
【００６６】
また別の決定方法としては、制御部３６は制御信号ＣＯＮ１が指定する駆動振幅の値をＰＥＡＫ１＿ＴＧＴとして決定し、記憶部３８を参照してＰＥＡＫ１＿ＴＧＴを示すＰＥＡＫ１に対応するＯＰＴ１をＯＰＴ＿ＴＧＴとしてもよい。次に制御部３６は、ＯＰＴ＿ＴＧＴを示すＯＰＴ２に対応するＰＥＡＫ２の値を、ＰＥＡＫ２＿ＴＧＴとして決定する。
【００６７】
制御部３６は目標値ＰＥＡＫ１＿ＴＧＴ及びＰＥＡＫ２＿ＴＧＴを設定した後、駆動部３３の利得を制御する（Ｓ３０５）。この動作については第２の実施形態において説明した動作と同様であるので、詳細な説明は省略する。
【００６８】
本実施形態におけるプラガブル光モジュールは、光信号の強度と駆動信号の振幅のモニタ結果を対応付けて記憶する。また記憶結果に基づいて利得を調整することで、光信号の強度差を調整する。利得の制御により光強度差が解消されることで、信号品質を向上することが可能となる。
【００６９】
本実施形態におけるプラガブル光モジュールは、制御信号と記憶情報に基づいて、駆動信号の振幅の目標値を設定し、駆動部の利得を制御する。またプラガブル光モジュールは内部のモニタ結果を格納した記憶情報に基づき、制御信号が指定する情報から駆動信号の振幅の目標値を設定する。したがって光伝送装置より光強度差を調整するときに、プラガブル光モジュールが備える光変調器の個体差を考慮して制御信号が指定する情報を設定する必要がなくなる。
【００７０】
［第４の実施形態］
［構成］
本発明の第４の実施形態について説明する。本発明の第４の実施形態におけるプラガブル光モジュールは出力する光信号の波長を変更することが可能である。またプラガブル光モジュールは光信号の波長の変更に応じて、駆動信号の駆動振幅を調整することを特徴とする。
【００７１】
図１３は、本発明の第４の実施形態に係るプラガブル光モジュール４００の構成例を示す。なお本発明の第４の実施形態において、本発明の他の実施形態と同様の構成については、説明を省略する。
【００７２】
光信号出力部４４は出力する光信号の波長を変更可能な構成を有する。図１４は光信号出力部４４の構成例を示す図である。光信号出力部４４は波長可変光源４４１を備える。
【００７３】
波長可変光源４４１は、たとえば、半導体レーザとリング共振器などの波長可変手段とで構成され、出力光Ｌｏｒｄｉｎｇを出力する。出力光Ｌｏｒｄｉｎｇの波長は、制御部４６からの制御信号ＣＯＮ３により制御される。
【００７４】
光強度調整部４９は、光信号出力部４４が出力する光信号ＬＳ１及びＬＳ２の合波光を減衰又は遮断することで、合波光の光強度を調整することが出来る。また光強度調整部４９は、制御部４６からの制御信号ＣＯＮ４に応じて、合波光の光強度を調整する。光強度調整部４９は、たとえばアッテネータやシャッターを用いてもよい。
【００７５】
制御部４６は上述のように制御信号ＣＯＮ３により波長可変光源４４１を制御し、制御信号ＣＯＮ４により光強度調整部４９を制御可能である。また制御部４６は、波長可変光源４４１を制御し光信号の波長を変更することに応じて、光信号ＬＳ１及びＬＳ２の強度差を調整する。
【００７６】
光信号の波長の変更に伴う光信号ＬＳ１及びＬＳ２の強度差の調整について説明する。図１５はプラガブル光モジュール４００が有する各構成の動作例を示すシーケンス図である。
【００７７】
たとえば波長可変光源４４１が波長λ１の出力光Ｌｏｒｄｉｎｇを出力している状態において、制御部４６は光伝送装置９２から波長切替指示を受領する（Ｓ４０１）。波長切替指示は、光伝送装置９２からの制御信号ＣＯＮ１に含まれる。
【００７８】
制御部４６は波長切替指示に応じて、光強度調整部に光信号の出力を遮断する指示を行う（Ｓ４０２）。具体的には制御部４６は、制御信号ＣＯＮ４により光強度調整部４９に対して光信号出力部４４が出力する合波光を遮断するよう指示する。
【００７９】
制御部４６は波長切替指示に応じて、光信号出力部４４に対して、出力光Ｌｏｒｄｉｎｇの波長をλ１から異なる波長λ２へ切り替えることを指示する（Ｓ４０３）。
【００８０】
光信号出力部４４は、出力光Ｌｏｒｄｉｎｇの波長をλ１からλ２へ切り替える（Ｓ４０４）。波長可変光源４４１の出力光Ｌｏｒｄｉｎｇの出力を停止してから、波長をλ１からλ２へ切り替える処理を行ってもよい。
【００８１】
なお図示しないが、制御部４６はＳ４０３及びＳ４０４により波長切替を実行することに応じて、バイアス電圧の調整を行うようにしてもよい。
【００８２】
制御部４６は、波長切替の完了後に光信号ＬＳ１及びＬＳ２の強度差の調整を行う（Ｓ４０５）。本動作は上述の実施形態における光信号ＬＳ１及びＬＳ２の強度差の調整動作と同様であるので、詳細な説明は省略する。
【００８３】
制御部４６は、光信号ＬＳ１及びＬＳ２の強度差の調整が完了した後に、光強度調整部４９に出力再開の指示を行う（Ｓ４０６）。具体的には制御部４６は、光信号ＬＳ１及びＬＳ２の合波光を所定の光強度に調整するように光強度調整部４９を制御する。これにより、光ファイバ９１に波長λ２の出力光Ｌｏｒｄｉｎｇを変調した光信号ＬＳ１及びＬＳ２が出力される。
【００８４】
本実施形態におけるプラガブル光モジュールは、光伝送装置９２の指示によりプラガブル光モジュールが光信号の波長を切り替えたことに応じて、光信号の強度差の調整を実行する。これにより、波長切替後においても光強度差が解消されることで、信号品質を向上することが可能となる。
【００８５】
［第５の実施形態］
上述した実施形態においては、プラガブル光モジュールは２つの光信号ＬＳ１及びＬＳ２の光強度差を調整可能としたが、光強度差を調整可能な光信号は２つに限られない。たとえば本発明の第５の実施形態におけるプラガブル光モジュールは、４つの光信号について強度差を調整可能である。
【００８６】
図１６は第５の実施形態におけるプラガブル光モジュール５００の構成例を示す図である。なお本発明の第５の実施形態において、本発明の他の実施形態と同様の構成については、説明を省略する。またプラガブル光モジュール５００の構成例はこれに限られず、駆動信号モニタ２７や記憶部３８に相当する構成を有するように構成されてもよい。
【００８７】
駆動部５３はプラガブル電気コネクタ１１を介して光伝送装置９２より入力する変調信号ＭＯＤに応じた駆動信号ＳＩＧ１、ＳＩＧ２、ＳＩＧ３、ＳＩＧ４を光信号出力部５４に出力する機能を有する。図１７は駆動部５３の構成例を示す図である。駆動部５３は、駆動信号ＳＩＧ１を出力する駆動回路５３１Ａ、駆動信号ＳＩＧ２を出力する第２の駆動回路５３１Ｂ、駆動信号ＳＩＧ３を出力する第３の駆動回路５３１Ｃ、駆動信号ＳＩＧ４を出力する第４の駆動回路５３１Ｄを備える。ここで駆動信号ＳＩＧ１、ＳＩＧ２、ＳＩＧ３、ＳＩＧ４は、変調方式に応じた各信号成分を有する信号である。駆動部５３は変調信号ＭＯＤを増幅する利得を調整可能に構成されるが、詳細な説明は他の実施形態と同様であるため省略する。
【００８８】
光信号出力部５４は駆動部５３が出力する駆動信号ＳＩＧ１、ＳＩＧ２、ＳＩＧ３、ＳＩＧ４に応じて変調された光信号ＬＳ１、ＬＳ２、ＬＳ３、ＬＳ４を出力する。ここで、光信号ＬＳ１は駆動部５３より入力する駆動信号ＳＩＧ１に応じて変調した光信号、光信号ＬＳ２は駆動部５３より入力する駆動信号ＳＩＧ２に応じて変調された光信号、光信号ＬＳ３は駆動部５３より入力する駆動信号ＳＩＧ３に応じて変調された光信号、光信号ＬＳ４は駆動部５３より入力する駆動信号ＳＩＧ４に応じて変調された光信号である。
【００８９】
図１８は光信号出力部５４の構成例を示す図である。光信号出力部５４は、第１の光変調部５４２Ａ、第２の光変調部５４２Ｂ、第３の光変調部５４２Ｃ、第４の光変調部５４２Ｄを備える。光変調部を区別しないときは、光変調部５４２と称する。
【００９０】
光変調部５４２は、マッハツェンダ型光変調器により構成され、所定の変調方式で変調された光信号を出力する。なおマッハツェンダ型の光変調器としては、半導体光変調器であってもよい。また、光変調部５４２Ａ、５４２Ｂ、５４２Ｃ、５４２Ｄがインナー（Ｉｎｎｅｒ）マッハツェンダ型光変調器として設けられ、光変調部５４２Ａ、５４２Ｂをアームに持つマッハツェンダ型光変調器及び光変調部５４２Ｃ、５４２Ｄをアームに持つマッハツェンダ型光変調器がアウター（Ｏｕｔｅｒ）マッハツェンダ型光変調器として設けられる。
【００９１】
なお光信号出力部５４がＱＰＳＫ方式や１６ＱＡＭ方式といった光変調方式にて変調した光信号を出力可能に構成されるとき、光変調部５４２Ａ、５４２ＣはコンスタレーションのＩ軸成分に対応する信号を出力する光変調として設けられ、光変調部５４２Ｂ、５４２ＤはコンスタレーションのＱ軸成分に対応する信号を出力する光変調部として設けられる。さらに光信号出力部５４が偏波変調方式にて変調した光信号を出力可能に構成されるとき、光変調部５４２Ａ及び５４２ＢはＸ偏波光信号を出力し、光変調部５４２Ｃ及び５４２ＤはＹ偏波光信号を出力する。
【００９２】
光強度モニタ５５は、光信号出力部５４が出力する光信号ＬＳ１、ＬＳ２、ＬＳ３、ＬＳ４の強度をモニタする。また光強度モニタ５５は、光信号ＬＳ１のモニタ結果ＯＰＴ１、光信号ＬＳ２のモニタ結果ＯＰＴ２、光信号ＬＳ３のモニタ結果ＯＰＴ３、光信号ＬＳ４のモニタ結果ＯＰＴ４を制御部５６に出力する。なお光強度モニタ５５はＴＡＰフォトダイオードとして構成されてもよい。
【００９３】
光強度モニタ５５が設けられる位置は、光信号出力部５４から合波光が入力する位置に限られない。図１９は光強度モニタ５５の構成例を示す図である。図１９の光強度モニタ５５は、第１の光強度モニタ５５１Ａ、第２の光強度モニタ５５１Ｂ、第３の光強度モニタ５５１Ｃ、第４の光強度モニタ５５１Ｄから構成される。また光強度モニタ５５１Ａ―Ｄは、マッハツェンダ型光変調器の光導波路上にＴＡＰフォトダイオードとして設けられる。光強度モニタ５５１Ａ―Ｄはそれぞれ光変調部５４２Ａ―Ｄから光信号ＬＳ１−４が入力する位置に設けられる。また光強度モニタ５５１Ａ―Ｄはモニタ結果ＯＰＴ１−４を制御部５６に出力する。
【００９４】
制御部５６は、光信号ＬＳ１−４の光強度差を調整するように駆動部５３の利得を制御する。制御部５６による駆動部５３の利得の制御は、上述の実施形態で説明した制御が適用される。制御部５６は光信号ＬＳ１−４の強度差が小さくなるように駆動部５３の利得を調整する。
【００９５】
本実施形態におけるプラガブル光モジュールは４つの光信号を出力可能に構成され、また各光信号間の光強度差を調整する。これにより、光信号が２つ以上であっても光強度差を解消することで、信号品質を向上することが可能となる。
【００９６】
以上、実施の形態を参照して本願発明を説明したが、本願発明は上記によって限定されるものではない。本願発明の構成や詳細には、発明のスコープ内で当業者が理解し得る様々な変更をすることができる。
【００９７】
（付記１）
光伝送装置に対して挿抜可能に構成され、前記光伝送装置とデータ信号を通信可能であるプラガブル電気コネクタと、
前記データ信号を増幅して第１及び第２の駆動信号を出力する駆動手段と、
前記第１の駆動信号に応じて変調された第１の光信号と、前記第２の駆動信号に応じて変調された第２の光信号とを出力する光信号出力手段と
前記第１及び第２の光信号の強度をモニタする光強度モニタ手段と
前記光強度モニタ手段のモニタ結果に基づき、前記第１及び第２の光信号の強度差を調整するよう前記駆動手段の利得を制御する制御手段と
光ファイバが挿抜可能に構成され、前記第１及び第２の光信号を出力するプラガブル光レセプタと、
を備えることを特徴とするプラガブル光モジュール。
（付記２）
さらに前記第１の駆動信号の振幅及び前記第２の駆動信号の振幅をモニタする駆動信号モニタ手段を備え、
前記制御手段は、前記駆動信号モニタ手段のモニタ結果に基づき前記駆動手段の利得を制御することを特徴とする付記１に記載のプラガブル光モジュール。
（付記３）
前記制御手段は第１及び第２の目標値を設定し、前記第１の駆動信号の振幅が前記第１の目標値となり、前記第２の駆動信号の振幅が前記第２の目標値となるよう前記駆動手段の利得を制御することを特徴とする付記２に記載のプラガブル光モジュール。
（付記４）
さらに前記光強度モニタ手段と前記駆動信号モニタ手段のモニタ結果を記憶する記憶手段を備え、
前記制御手段は前記記憶手段と前記光伝送装置より入力する制御信号を参照して、前記第１及び第２の目標値を設定することを特徴とする付記３に記載のプラガブル光モジュール。
（付記５）
前記制御信号は、駆動信号の振幅を指定する振幅情報を含み、
前記制御手段は前記振幅情報に基づき、前記第１及び第２の目標値を設定することを特徴とする付記４に記載のプラガブル光モジュール。
（付記６）
さらに前記光信号出力手段が出力する前記第１及び第２の光信号の光強度を調整可能である光強度調整手段を備え、
前記光強度調整手段は、前記制御手段に前記光伝送装置から波長切替指示が入力したことに応じて前記第１及び第２の光信号の出力を遮断し、
前記光信号出力手段は、前記出力の遮断後に前記第１及び第２の光信号の波長の切り替えを行い、
前記制御手段は、前記波長の切り替え後に、前記第１及び第２の光信号の強度差を調整するよう前記駆動手段の利得を制御することを特徴とする付記１から５のいずれかに記載のプラガブル光モジュール。
（付記７）
前記駆動手段は前記データ信号を増幅して第３及び第４の駆動信号を出力し、
前記光信号出力手段は前記第３の駆動信号に応じて変調された第３の光信号と、前記第４の駆動信号に応じて変調された第４の光信号とを出力し、
前記光強度モニタ手段は第３及び第４の光信号の強度をモニタし、
前記制御手段は、前記光強度モニタ手段のモニタ結果に基づき、前記第１、第２、第３及び第４の光信号の強度差を調整するよう前記駆動手段の利得を制御することを特徴とする付記１から５のいずれかに記載のプラガブル光モジュール。
（付記８）
前記光信号出力手段は直交位相変調信号を出力し、前記第１の光信号はＩ信号であり、前記第２の光信号はＱ信号であることを特徴とする付記１から６のいずれかに記載のプラガブル光モジュール。
（付記９）
前記光信号出力手段は偏波多重信号を出力し、前記第１及び第２の光信号はＸ偏波信号であり、前記第３及び第４の光信号はＹ偏波信号であることを特徴とする付記７に記載のプラガブル光モジュール。
（付記１０）
光信号を伝送する光ファイバと、
前記光ファイバが挿抜可能に構成され、前記光ファイバに前記光信号を出力するプラガブル光モジュールと、
前記プラガブル光モジュールが挿抜可能に構成され、前記プラガブル光モジュールを制御する光伝送装置と、を備え、
前記プラガブル光モジュールは、
前記光伝送装置に対して挿抜可能に構成され、前記光伝送装置とデータ信号を通信可能であるプラガブル電気コネクタと、
前記データ信号を増幅して第１及び第２の駆動信号を出力する駆動手段と、
前記第１の駆動信号に応じて変調された第１の光信号と、前記第２の駆動信号に応じて変調された第２の光信号とを出力する光信号出力手段と
前記第１及び第２の光信号の強度をモニタする光強度モニタ手段と
前記光強度モニタ手段のモニタ結果に基づき、前記第１及び第２の光信号の強度差を調整するよう前記駆動手段の利得を制御する制御手段と
前記光ファイバが挿抜可能に構成され、前記第１及び第２の光信号を出力するプラガブル光レセプタと、
を備えることを特徴とする光通信システム。
（付記１１）
光伝送装置に対して挿抜可能に構成されたプラガブル電気コネクタを介して、前記光伝送装置とデータ信号を受信し、
前記受信したデータ信号を増幅して第１及び第２の駆動信号を出力し、
前記第１の駆動信号に応じて変調された第１の光信号と、前記第２の駆動信号に応じて変調された第２の光信号とを出力し、
前記第１及び第２の光信号の強度のモニタ結果を出力し、
前記モニタ結果に基づき、前記第１及び第２の光信号の強度差を調整するよう前記データ信号の増幅利得を制御し、
光ファイバが挿抜可能に構成されたプラガブル光レセプタを介して、前記第１及び第２の光信号を出力する、
ことを特徴とするプラガブル光モジュールの制御方法。
【００９８】
この出願は、２０１８年３月２７日に出願された日本出願特願２０１８−０６０５２７を基礎とする優先権を主張し、その開示の全てをここに取り込む。
【符号の説明】
【００９９】
１１    プラガブル電気コネクタ
１２    プラガブル光レセプタ
１３、２３、３３、４３、５３    駆動部
１４、２４、３４、４４、５４    光信号出力部
１５、２５、３５、４５、５５    光強度モニタ
１６、２６、３６、４６、５６    制御部
２７、３７    駆動信号モニタ
３８    記憶部
４９    光強度調整部
９１    光ファイバ
９２    光伝送装置
１００、２００、３００、４００、５００    プラガブル光モジュール
１３１    駆動回路
１４１、５４１    光源
１４２、４４２、５４２    光変調部
１５１、５５１    光強度モニタ
４４１    波長可変光源
５３１    駆動回路
【図１】
2019187759.tif 000003
【図２】
2019187759.tif 000004
【図３】
2019187759.tif 000005
【図４】
2019187759.tif 000006
【図５】
2019187759.tif 000007
【図６】
2019187759.tif 000008
【図７】
2019187759.tif 000009
【図８】
2019187759.tif 000010
【図９】
2019187759.tif 000011
【図１０】
2019187759.tif 000012
【図１１】
2019187759.tif 000013
【図１２】
2019187759.tif 000014
【図１３】
2019187759.tif 000015
【図１４】
2019187759.tif 000016
【図１５】
2019187759.tif 000017
【図１６】
2019187759.tif 000018
【図１７】
2019187759.tif 000019
【図１８】
2019187759.tif 000020
【図１９】
2019187759.tif 000021
【手続補正書】
【提出日】令和2年8月18日(2020.8.18)
【手続補正１】
【補正対象書類名】特許請求の範囲
【補正対象項目名】全文
【補正方法】変更
【補正の内容】
【特許請求の範囲】
【請求項１】
光伝送装置に対して挿抜可能に構成され、前記光伝送装置とデータ信号を通信可能であるプラガブル電気コネクタと、
前記データ信号を増幅して第１及び第２の駆動信号を出力する駆動手段と、
前記第１の駆動信号に応じて変調された第１の光信号と、前記第２の駆動信号に応じて変調された第２の光信号とを出力する光信号出力手段と
前記第１及び第２の光信号の強度をモニタする光強度モニタ手段と
前記光強度モニタ手段のモニタ結果に基づき、前記第１及び第２の光信号の強度差を調整するよう前記駆動手段の利得を制御する制御手段と
光ファイバが挿抜可能に構成され、前記第１及び第２の光信号を出力するプラガブル光レセプタと、
を備えることを特徴とするプラガブル光モジュール。
【請求項２】
さらに前記第１の駆動信号の振幅及び前記第２の駆動信号の振幅をモニタする駆動信号モニタ手段を備え、
前記制御手段は、前記駆動信号モニタ手段のモニタ結果に基づき前記駆動手段の利得を制御することを特徴とする請求項１に記載のプラガブル光モジュール。
【請求項３】
前記制御手段は第１及び第２の目標値を設定し、前記第１の駆動信号の振幅が前記第１の目標値となり、前記第２の駆動信号の振幅が前記第２の目標値となるよう前記駆動手段の利得を制御することを特徴とする請求項２に記載のプラガブル光モジュール。
【請求項４】
さらに前記光強度モニタ手段と前記駆動信号モニタ手段のモニタ結果を記憶する記憶手段を備え、
前記制御手段は前記記憶手段と前記光伝送装置より入力する制御信号を参照して、前記第１及び第２の目標値を設定することを特徴とする請求項３に記載のプラガブル光モジュール。
【請求項５】
前記制御信号は、駆動信号の振幅を指定する振幅情報を含み、
前記制御手段は前記振幅情報に基づき、前記第１及び第２の目標値を設定することを特徴とする請求項４に記載のプラガブル光モジュール。
【請求項６】
さらに前記光信号出力手段が出力する前記第１及び第２の光信号の光強度を調整可能である光強度調整手段を備え、
前記光強度調整手段は、前記制御手段に前記光伝送装置から波長切替指示が入力したことに応じて前記第１及び第２の光信号の出力を遮断し、
前記光信号出力手段は、前記出力の遮断後に前記第１及び第２の光信号の波長の切り替えを行い、
前記制御手段は、前記波長の切り替え後に、前記第１及び第２の光信号の強度差を調整するよう前記駆動手段の利得を制御することを特徴とする請求項１から５のいずれかに記載のプラガブル光モジュール。
【請求項７】
前記駆動手段は前記データ信号を増幅して第３及び第４の駆動信号を出力し、
前記光信号出力手段は前記第３の駆動信号に応じて変調された第３の光信号と、前記第４の駆動信号に応じて変調された第４の光信号とを出力し、
前記光強度モニタ手段は第３及び第４の光信号の強度をモニタし、
前記制御手段は、前記光強度モニタ手段のモニタ結果に基づき、前記第１、第２、第３及び第４の光信号の強度差を調整するよう前記駆動手段の利得を制御することを特徴とする請求項１から５のいずれかに記載のプラガブル光モジュール。
【請求項８】
前記光信号出力手段は直交位相変調信号を出力し、前記第１の光信号はＩ信号であり、前記第２の光信号はＱ信号であることを特徴とする請求項１から６のいずれかに記載のプラガブル光モジュール。
【請求項９】
光信号を伝送する光ファイバと、
前記光ファイバが挿抜可能に構成され、前記光ファイバに前記光信号を出力するプラガブル光モジュールと、
前記プラガブル光モジュールが挿抜可能に構成され、前記プラガブル光モジュールを制御する光伝送装置と、を備え、
前記プラガブル光モジュールは、
前記光伝送装置に対して挿抜可能に構成され、前記光伝送装置とデータ信号を通信可能であるプラガブル電気コネクタと、
前記データ信号を増幅して第１及び第２の駆動信号を出力する駆動手段と、
前記第１の駆動信号に応じて変調された第１の光信号と、前記第２の駆動信号に応じて変調された第２の光信号とを出力する光信号出力手段と
前記第１及び第２の光信号の強度をモニタする光強度モニタ手段と
前記光強度モニタ手段のモニタ結果に基づき、前記第１及び第２の光信号の強度差を調整するよう前記駆動手段の利得を制御する制御手段と
前記光ファイバが挿抜可能に構成され、前記第１及び第２の光信号を出力するプラガブル光レセプタと、
を備えることを特徴とする光通信システム。
【請求項１０】
光伝送装置に対して挿抜可能に構成されたプラガブル電気コネクタを介して、前記光伝送装置とデータ信号を受信し、
前記受信したデータ信号を増幅して第１及び第２の駆動信号を出力し、
前記第１の駆動信号に応じて変調された第１の光信号と、前記第２の駆動信号に応じて変調された第２の光信号とを出力し、
前記第１及び第２の光信号の強度のモニタ結果を出力し、
前記モニタ結果に基づき、前記第１及び第２の光信号の強度差を調整するよう前記データ信号の増幅利得を制御し、
光ファイバが挿抜可能に構成されたプラガブル光レセプタを介して、前記第１及び第２の光信号を出力する、
ことを特徴とするプラガブル光モジュールの制御方法。
【国際調査報告】
2019187759.tif 000022
2019187759.tif 000023
2019187759.tif 000024
2019187759.tif 000025